(57)【要約】【課題】端末機に提供された所定のテストモードを用いて基地局を使用することなく、携帯インターネット計測器で端末機ＵＬ同期を取得する。【解決手段】端末機は、基地局との間でネットワークエントリプロセスなしに予め自分に割り当てられたＣＩＤ情報を含むＤＬサブフレームを受信した場合にＵＬサブフレームを生成するテストモード機能を有する。携帯インターネット計測器は、信号発生手段と信号分析手段とを含み、信号発生手段がＤＬサブフレームをＤ/Ａ変換・ＲＦ変調して出力し、信号分析手段が端末機からのＵＬサブフレームの入力を受け付け、信号分析手段が変調ＵＬサブフレームをＲＦ復調・Ａ/Ｄ変換してキャプチャーし、信号分析手段が予め格納しているＵＬサブフレームと前記キャプチャーされたデータとを時間相関方法により比較してＵＬ同期を取得する。【選択図】図５
2008079308.tif 000002
【特許請求の範囲】
【請求項１】
携帯インターネット端末機から受信した信号を計測する携帯インターネット計測器において、前記携帯インターネット端末機から受信した信号のアップリンク（以下「ＵＬ」と言う）同期を取得する方法であって、
前記携帯インターネット端末機は、基地局との間でネットワークエントリプロセスなしに、予め自分に割り当てられて格納されたＣＩＤ（Connection Identifier）情報を含むダウンリンク（以下「ＤＬ」と言う）サブフレームを受信した場合に、ＵＬサブフレームを生成するテストモード機能を有し、
前記携帯インターネット計測器は、前記ＣＩＤ情報を予め格納している信号発生手段と前記ＵＬサブフレームの入力を受けて分析する信号分析手段とを含み、
信号発生手段が、信号分析手段に予め知られたセルＩＤ、携帯インターネット端末機に格納された前記ＣＩＤ情報及び所定のフレームナンバーを有するデータをエンコードして得られたＤＬサブフレームを持続的にＤ/Ａ変換した後にＲＦ変調して出力する（ａ）段階と、
信号分析手段が、携帯インターネット端末機が自身のテスト用基地データを前記セルＩＤ及び前記フレームナンバーによりエンコードして生成した後、ＲＦ変調して出力したＵＬサブフレームの入力を受ける（ｂ）段階と、
信号分析手段が、少なくとも１フレームの長さを超過して予め定められた時間分だけ持続的に前記変調ＵＬサブフレームをＲＦ復調した後にＡ/Ｄ変換してキャプチャーする（ｃ）段階と、
信号分析手段が、前記テスト用基地データを前記セルＩＤ及び前記フレームナンバーによりエンコードして予め格納しているＵＬサブフレームと前記（ｃ）段階でキャプチャーされたデータとを時間相関方法により比較してＵＬ同期を取得する（ｄ）段階とを含む
ことを特徴とする携帯インターネット計測器のＵＬ同期取得方法。
【請求項２】
携帯インターネット端末機は、フレームナンバーの増加をチェックしないテストモード機能をさらに有し、
前記（ａ）段階における前記フレームナンバーは、携帯インターネット端末機と信号分析手段において予め固定的に知られるフレームナンバーであり、
信号発生手段は、前記ＤＬサブフレームをファイルで保存した状態で該ファイルを読み取って前記（ａ）段階を行う
ことを特徴とする請求項１に記載の携帯インターネット計測器のＵＬ同期取得方法。
【請求項３】
前記（ａ）段階において、前記フレームナンバーが可変的であり、
信号発生手段は、信号分析手段において予め知られるセルＩＤ、携帯インターネット端末機に格納された前記ＣＩＤ情報、及び順次増加するそれぞれの前記フレームナンバーを有するデータをエンコードして得られた複数のＤＬサブフレームファイルを格納した状態で、順次該ファイルを読み取って前記（ａ）段階を行い、
信号分析手段は、前記テスト用基地データを前記セルＩＤ及び発生可能な前記フレームナンバーによりエンコードした複数のファイルを予め格納した状態で前記（ｄ）段階を行う
ことを特徴とする請求項１に記載の携帯インターネット計測器のＵＬ同期取得方法。
【請求項４】
前記（ｃ）段階でキャプチャーされるデータの長さは、１０ms以上である
ことを特徴とする請求項１乃至請求項３のいずれか一項に記載の携帯インターネット計測器のＵＬ同期取得方法。
【請求項５】
信号分析手段は、前記（ｄ）段階において、前記ＵＬサブフレームの第１のシンボルと前記（ｃ）段階でキャプチャーされたデータとを時間相関方法により比較してＵＬ同期を取得する
ことを特徴とする請求項４に記載の携帯インターネット計測器のＵＬ同期取得方法。
【請求項６】
信号発生手段は、前記（ａ）段階を行うと同時に、前記ＤＬサブフレームの出力時点を知らせるトリガー信号を信号分析手段に転送し、
信号分析手段は、前記（ｃ）段階でキャプチャーされたデータの前記トリガー信号受信時点から予め定められた時間以降をＵＬ開始時点と推定し、前記推定された時点から前記（ｄ）段階を行う
ことを特徴とする請求項５に記載の携帯インターネット計測器のＵＬ同期取得方法。
【請求項７】
携帯インターネット端末機は、前記ＵＬサブフレームの出力と同時に該ＵＬサブフレームの出力時を知らせるトリガー信号を信号分析手段に提供するテストモード機能をさらに有し、
信号分析手段は、前記（ｃ）段階でキャプチャーされたデータの前記トリガー信号受信時点から前記（ｄ）段階を行う
ことを特徴とする請求項５に記載の携帯インターネット計測器のＵＬ同期取得方法。
【発明の詳細な説明】
【技術分野】
【０００１】
本発明は、携帯インターネット計測器のＵＬ同期取得方法に関し、特に、端末機に提供された所定のテストモードを用いて基地局を使用することなく、携帯インターネット計測器で端末機のＵＬ同期を取得して分析することができるようにしたＵＬ同期取得機能を有する携帯インターネット計測器及びそれによるＵＬ同期取得方法に関するものである。
【背景技術】
【０００２】
現在、無線でインターネットにアクセスする方式としては、大きく分けて、ＷＡＰ（Wireless Application Protocol）やＷＩＰＩ（Wireless Internet Platform for Interoperability）などのプラットホームを基盤として移動電話網を介してアクセスする方式と、公衆無線ＬＡＮ（Local Area Network）とアクセスポイント（Access Point）を介したアクセス方式がある。しかし、移動電話網を介した方式の場合には、画面サイズや入力インタフェースの制約、及び従量制による課金体系などのため、普遍的なインターネット接続手段としての根本的な限界があった。さらに、無線ＬＡＮの場合にも、アクセスポイントを中心に半径数十メートル前後でのみ使用が可能であるという地域的な制約の他に、移動性に脆弱であるという根本的な問題点があった。
【０００３】
このような問題点を解決するために、ＡＤＳＬ（Asymmetric Digital Subscriber Line）水準の品質と費用で停止時及び中速移動時にも高速インターネット接続の可能な無線インターネットサービスとして、「携帯インターネット」（Mobile WiMAX またはそのサブセットとして韓国の標準であるＷｉＢｒｏ）が提案されている。
【０００４】
一般的な通信システムでは、時間と周波数という無線リソースが限定されているため、これを複数の端末機使用者らに配分して使用しなければならない。ところが、既存のＣＤＭＡ（Code Division Multiple Access）系とＷＬＡＮ（Wireless LAN）などのシステムと異なり、携帯インターネットシステムは、ＯＦＤＭＡ（Orthogonal Frequency Division Multiple Access）という方式を採用している。図１は、ＯＦＤＭＡ方式における時間軸と周波数軸のリソース割り当て方式を説明するための図である。ＯＦＤＭＡ方式は、図１に示されているように、時間軸と周波数軸の２次元リソース領域を同時に各端末機に割り当る方式である。
【０００５】
図２は、携帯インターネットシステムのＭＡＰ構造を示す図である。図２に示されているように、携帯インターネットシステムでは、効率性を向上させるために、同一のチャネルコーディング方式と変調方式を使用するデータを１つのグループにして転送している。このように、同一のチャネルコーディング方式と変調方式を使用するデータ領域の集合を１つのバースト（Burst）といい、それぞれのバーストの位置及び大きさに関する情報は、図２に示すフレームのマップ（MAP）情報から分かる。
【０００６】
ここで、「フレーム」（Frame）とは、物理階層（ＰＨＹ：Physical Layer）規格に基づいて使用される固定された持続時間を持つ構造化されたデータシーケンスを意味し、１つのフレームは、基地局から端末機方向へのリンクであるダウンリンク（Downlink；以下、単にＤＬという）サブフレーム（sub-frame）と、端末機から基地局方向へのリンクであるアップリンク（Uplink；以下、ＵＬという）サブフレームの両方を全て含むことができる。
【０００７】
また、携帯インターネットシステムは、アップリンクとダウンリンク転送が同一の周波数を共有し、互いに異なる時間に発生する時分割複信方式（ＴＤＤ：Time Division Duplexing）を採用しているため、１フレームの長さ、ダウンリンクとアップリンクの割合のような必須情報などもマップ情報によって提供される。なお、端末機に対するリソース割り当てを動的に行うために、基地局は、各フレームに互いに異なる内容のマップを転送することができる。この場合、マップは、ダウンリンクの転送情報を含んでいるDL#MAPと、アップリンクのリソース接近権限を知らせるUL#MAPとに分けることができる。ここで、DL#MAPは、ダウンリンク上で基地局によってサブチャネル及び時間軸上で分割多重化するバーストのシンボルオフセット及びサブチャネルオフセットと割り当てられたリソースであるシンボルの個数及びサブチャネルの個数を定義する媒体アクセス制御（ＭＡＣ：Media Access Control）階層メッセージと定義することができる。フレームによって互いに異なる値を持つフレームナンバー（Frame Number）は、このようなDL#MAPに含まれている。
【０００８】
次に、UL#MAPは、アップリンク区間に対する全体的な接続を定義する情報の集合と定義することができる。UL#MAPにはＣＩＤ（Connection Identifier）情報を含むことができる。さらに、ＤＬサブフレームの第１のシンボルには固有に定義されるプリアンブル（Preamble）が存在し、これによって端末機がＤＬの開始点を把握することができるようになる。また、このようなプリアンブルには、さらにセルＩＤ（Cell Identification）情報と、セグメント（segment）情報が含まれている。
【発明の開示】
【発明が解決しようとする課題】
【０００９】
一方、携帯インターネット計測器が端末機の性能を分析するためには、まず端末機がＤＬ同期を維持することができる信号発生部が必要であり、ＤＬ信号のフレームナンバーが増加しなければ端末機は同期を失うことになる。端末機は、受信されたＤＬ信号を基盤にＵＬ信号を転送するようになり、信号分析計測器は、該信号を受信してＵＬの開始点を推定する過程と、前記フレームナンバーを一致させる過程を通じてＵＬ同期を取得する。結果的に、携帯インターネット計測器を通してＵＬ同期を取得して分析するためには、仕方なく、基地局を介して実時間でフレームナンバーが増加するＤＬサブフレームを生成し、端末機がＤＬ同期を取得するようにした後、基地局が該当端末機との間でネットワークエントリプロセス（Network Entry Process）を行って取得したＵＬ開始点のタイミング同期の提供を受け、さらに、フレームナンバーの提供を受けなければならない。
【００１０】
このように、従来の携帯インターネット計測器を通して端末機に対するＵＬ同期を取得して分析するためには基地局を使用する必要があるが、端末テストのために基地局を用いることは現実的に容易ではなく、そのための計測環境の構築費用も多くかかるという問題点があった。
【００１１】
本発明は前述した問題点を解決するためになされたものであって、本発明の目的は、端末機に提供された所定のテストモードを用いて基地局を使用することなく、携帯インターネット計測器で端末機ＵＬ同期を取得して分析することができるようにしたＵＬ同期取得機能を有する携帯インターネット計測器のＵＬ同期取得方法を提供することである。
【課題を解決するための手段】
【００１２】
前述した目的を達成するためになされた本発明による携帯インターネット計測器のＵＬ同期取得方法では、携帯インターネット端末機は、基地局との間でネットワークエントリプロセスなしに、予め自分に割り当てられて格納されたＣＩＤ（Connection Identifier）情報を含むダウンリンク（以下「ＤＬ」と言う）サブフレームを受信した場合に、ＵＬサブフレームを生成するテストモード機能を有する。また、前記携帯インターネット計測器は、前記ＣＩＤ情報を予め格納している信号発生手段と前記ＵＬサブフレームの入力を受けて分析する信号分析手段とを含む。そして、本発明による携帯インターネット計測器のＵＬ同期取得方法は、信号発生手段が、信号分析手段に予め知られたセルＩＤ、携帯インターネット端末機に格納された前記ＣＩＤ情報及び所定のフレームナンバーを有するデータをエンコードして得られたＤＬサブフレームを持続的にＤ/Ａ変換した後にＲＦ変調して出力する（ａ）段階と、信号分析手段が、携帯インターネット端末機が自身のテスト用基地データを前記セルＩＤ及び前記フレームナンバーによりエンコードして生成した後、ＲＦ変調して出力したＵＬサブフレームの入力を受ける（ｂ）段階と、信号分析手段が、少なくとも１フレームの長さを超過して予め定められた時間分だけ持続的に前記変調ＵＬサブフレームをＲＦ復調した後にＡ/Ｄ変換してキャプチャーする（ｃ）段階と、信号分析手段が、前記テスト用基地データを前記セルＩＤ及び前記フレームナンバーによりエンコードして予め格納しているＵＬサブフレームと前記（ｃ）段階でキャプチャーされたデータとを時間相関方法により比較してＵＬ同期を取得する（ｄ）段階とを含んで構成される。
【００１３】
前述した構成の携帯インターネット端末機において、フレームナンバーの増加をチェックしないテストモード機能がさらに提供される場合は、前記（ａ）段階において前記フレームナンバーは、携帯インターネット端末機と信号分析手段に予め固定的に知られるフレームナンバーとなることがあり、信号発生手段は、前記ＤＬサブフレームをファイルに格納した状態でこれを読み取って前記（ａ）段階を行うことができる。
【００１４】
さらに、前記（ａ）段階において、前記フレームナンバーが可変的である場合は、信号発生手段は、信号分析手段に予め知られるセルＩＤ、携帯インターネット端末機に格納された前記ＣＩＤ情報、及び順次に増加するそれぞれの前記フレームナンバーを有するデータをエンコードして得られた複数のＤＬサブフレームファイルを格納した状態で順次にそれを読み取って前記（ａ）段階を行う。信号分析手段は、前記テスト用基地データを前記セルＩＤ及び発生可能な前記フレームナンバーによりエンコードして得られた複数のファイルを予め格納した状態で前記（ｄ）段階を行うことができる。
【００１５】
一方、前記（ｃ）段階において、キャプチャーされるデータの長さは１０ｍｓ以上であることがあり、信号分析手段は、前記（ｄ）段階で前記ＵＬサブフレームの第１のシンボルと、前記（ｃ）段階でキャプチャーされたデータを時間相関方法により比較してＵＬ同期を取得することが好ましい。
【００１６】
また、信号発生手段が前記（ａ）段階を行うと同時に、前記ＤＬサブフレームの出力時点を知らせるトリガー信号を信号分析手段に転送する場合、信号分析手段は、前記（ｃ）段階でキャプチャーされたデータの前記トリガー信号受信時点から予め定められた時間以降をＵＬ開始時点と推定し、前記推定された時点から前記（ｄ）段階を行うことができる。これと異なり、携帯インターネット端末機において、前記ＵＬサブフレームの出力と同時にこれを知らせるトリガー信号を信号分析手段に提供するテストモード機能がさらに提供される場合、信号分析手段は、前記（ｃ）段階でキャプチャーされたデータの前記トリガー信号受信時点から前記（ｄ）段階を行うことになる。
【発明の効果】
【００１７】
本発明の携帯インターネット計測器のＵＬ同期取得方法によれば、端末機に提供された所定のテストモードを用いることにより、基地局を使用しなくても、携帯インターネット計測器で端末機ＵＬ同期を取得して分析できるので、安価で簡単に端末機性能テストを行うことができる。
【発明を実施するための最良の形態】
【００１８】
次に、添付した図を参照して本発明の携帯インターネット計測器のＵＬ同期取得方法の好適な実施形態について詳細に説明する。
【００１９】
図３は、一般的な携帯インターネットシステムのネットワーク構成図である。図３に示すように、携帯インターネットシステムの基本的なネットワーク構成は、大きく分けて、携帯端末機（ＰＳＳ：Portable Subscriber Station）、基地局（ＲＡＳ：Radio Access Station）及び制御局（ＡＣＲ：Access Control Router）を含んで構成される。前述した構成において、携帯端末機（ＰＳＳ）は、携帯インターネット無線接続、ＩＰ基盤サービス接続、ＩＰ移動性、端末/使用者の認証及び保安、マルチキャストサービス受信及び他の網との連動機能などを行う。一方、基地局（ＲＡＳ）は、携帯インターネット無線接続、無線リソース管理及び制御、移動性（ハンドオフ）支援、認証及び保安、ＱｏＳ（Quality of Service）提供、ダウンリンクマルチキャスト、課金、統計情報生成及び通報機能などを行う。最後に、制御局（ＡＣＲ）は、ＩＰルーティング及び移動性管理、認証及び保安、ＱｏＳ提供、ＩＰマルチキャスト、課金サーバに対する課金サービス提供、制御局（ＡＣＲ）内の基地局（ＲＡＳ）間の移動性制御、リソース管理及び制御機能などを行う。
【００２０】
次の表１は、携帯インターネットシステムにおける主要パラメータと必須要求事項を示す。表１に示した通り、本発明の分析対象となる携帯インターネットシステムでは、複信方式としてＴＤＤを採用し、多重接続方式としてはＯＦＤＭＡを採用している。
【００２１】
【表１】
2008079308.tif 000003
次の表２は、携帯インターネットシステムにおいて必須構成オプションとして指定されたＰＵＳＣ（Partial Usage of Sub-Channel）ダイバシティサブチャネルの場合のＯＦＤＭＡの基本パラメータを示す。
【００２２】
【表２】
2008079308.tif 000004
表２で説明した通り、携帯インターネットにおいて１フレーム（ＴＤＤフレーム）の長さは５msであり、１個のシンボル時間は１１５.２μsである。
【００２３】
図４は、本発明のＵＬ同期取得機能を有する携帯インターネット計測器のブロック構成図である。図４に示されているように、本発明のＵＬ同期取得機能を有する携帯インターネット計測器は、大きく分けて、基地局に代わって端末機１００に向かうＤＬサブフレームを生成した後、端末機１００に転送する信号発生器２００、及び、端末機１００から基地局に向かうＵＬサブフレームを受信してＵＬ同期を取得した後に分析する信号分析器３００を含んで構成されている。このような信号発生器２００と信号分析器３００は、いずれも有線ケーブルを介して端末機１００のＲＦ入/出力端子１１０に接続されるようになる。図面において符号Ｔ/Ｌは、ＤＬサブフレームの開始点を知らせるトリガー信号の転送ラインであり、信号発生器２００の制御部（後述する）が信号分析器３００の制御部（後述する）にＤＬサブフレームの開始点を知らせるトリガー信号を転送するのに使用され、付加的な機能として与えられることも可能である。
【００２４】
一方、本発明の携帯インターネット計測器のＵＬ同期取得方法では、端末機１００は所定のテストモード（ＰＨＹモード）機能を提供する必要がある。例えば、基地局との間でネットワークエントリープロセスなしに、予め自分に割り当てられて格納されたＣＩＤが受信される場合、直ちにＵＬサブフレームを生成する機能を必須機能として提供し、またこの他に、そのＲＦ入/出力端子１１０を通じて入力されたＤＬサブフレームでフレームナンバーが増加しない場合でもエラー処理をしない機能（以下、フレームナンバーの無チェック機能という）、または、ＵＬサブフレームの出力時にその開始点を知らせるトリガー信号を共に発生させる機能をさらに提供することも可能である。
【００２５】
一方、基地局を含むシステムは、新しい端末機または新しいノード（node）を通信網に登録する際に適用できるプロセスを支援する必要があり、端末機が電源をつけた後に基地局との通信品質を維持、ＵＬ区間の開始点補正、及び基地局からの通信のためのＣＩＤ割り当て及び支援プロファイルに対する協議を行うために、「ネットワークエントリープロセス」（Network Entry Process）を行う。ここで、ＣＩＤ（Connection Identifier）は、基地局と端末機ＭＡＣ個体との間の単方向マッピングコネクション（Connection）を示す識別子であって、基地局と端末機のＭＡＣで同一の個体の一つのコネクションに対する一つのアップリンクＵＬ/ダウンリンク（ＤＬ）対を識別する１６ビット長の値を指す。
【００２６】
再度図４を参照すると、信号発生器２００は、使用者が端末機性能測定のための信号発生に必要な各種事項を設定したり入力するときに使用されるキー入力部２２０、機器の動作中に発生する各種事項を使用者に視覚的に知らせるディスプレイ２３０、予め知られたセルＩＤとテスト用ＣＩＤ、及び固定（端末機がフレームナンバー無チェック機能を支援する場合；１個のＤＬサブフレームファイルであればよい）または異なる（端末機がフレームナンバー無チェック機能を支援しない場合；全部で１６個のＤＬサブフレームファイルが要求される）フレームナンバー、例えば、順次増加する全部で１６個のフレームナンバーを有するＤＬデータがエンコードされた後にＡ/Ｄ変換されて生成されたＤＬサブフレームファイルを格納している波形格納メモリ２６０、波形格納メモリ２６０に格納されたＤＬサブフレームファイルをＤ/Ａ変換するＤ/Ａ変換部２４０、Ｄ/Ａ変換されたＤＬサブフレームをＲＦ変調して出力するＲＦ処理部２５０、並びに機器の全般的な動作を総括的に制御する制御部２１０を含んで構成されている。
【００２７】
ここで、制御部２１０は、自体メモリを備えた通常のマイクロコンピュータにより実現することができる。一方、携帯インターネット規格では、各セルとフレームを区分するために、互いに異なるデータパターンで転送信号をエンコード、つまり、各セルのＩＤであるセルパラメータとフレームナンバーの下位４ビット（２4=１６）情報を有して転送信号をエンコードする。従って、端末機１００が転送するＵＬサブフレームのフレームナンバーの下位４ビット及びセルＩＤを信号分析器３００が分かっている場合には、ＵＬサブフレームを複号することができる。
【００２８】
一方、信号分析器３００は、端末機１００のＲＦ入/出力端子１１０から入力を受けた変調ＵＬサブフレームを復調するＲＦ処理部３５０、ＲＦ処理部３５０を通じて復調されたＵＬサブフレーム信号をＡ/Ｄ変換するＡ/Ｄ変換部３４０、使用者が信号分析に必要な各種事項を設定したり入力するときに使用されるキー入力部３２０、機器の動作中に発生する各種事項と信号分析結果を使用者に視覚的に知らせるディスプレイ３３０、端末機１００に格納されたテスト用基地データと同一のデータが基地のセルＩＤ及び固定（端末機がフレームナンバー無チェック機能を支援する場合；１個のＵＬサブフレームの第１のシンボルデータであればよい）または異なる（端末機がフレームナンバー無チェック機能を支援しない場合；１６個のＵＬサブフレームのそれぞれの第１のシンボルデータが要求される）フレームナンバーによりエンコードされた後にＡ/Ｄ変換されて生成されたＵＬサブフレームの第１のシンボルデータを格納している波形格納メモリ３６０、及びＡ/Ｄ変換部３４０で変換されたデジタルデータの入力を受けて自体メモリに持続的にキャプチャーした後、これを波形格納メモリ３６０に格納されたＵＬサブフレームの第１のシンボルデータと比較することで、ＵＬ同期を取得して必要な分析を行う制御部３１０を含んで構成される。また、このような制御部３１０もまた自体メモリを備えた通常のマイクロコンピュータで実現することができる。
【００２９】
図５は、本発明の携帯インターネット計測器のＵＬ同期取得方法を説明するためのフローチャートである。図５に示すように、端末機１００に対するＵＬ同期取得のために、まず信号発生器２００の波形格納メモリ２６０には、前述したとおり、端末機１００と信号分析器３００に共に知られたセルＩＤ、端末機１００に共に知られたＣＩＤ情報、及び固定（端末機がフレームナンバー無チェック機能を支援する場合）または異なる（端末機がフレームナンバー無チェック機能を支援しない場合）フレームナンバーを有するＤＬデータがエンコードされて生成されたＤＬサブフレームファイルが予め格納されている必要がある（ステップＳ２）。さらに、信号分析器３００の波形格納メモリ３６０にも、前述したとおり、端末機１００で使用するテスト用基地データが共に知られたセルＩＤ、及び固定（端末機がフレームナンバー無チェック機能を支援）または異なる（端末機がフレームナンバー無チェック機能を支援しない場合）フレームナンバーによりエンコードされて生成されたＵＬサブフレームの第１のシンボルデータが予め格納されている必要がある(ステップＳ４)。
【００３０】
この状態で信号発生器２００は、テストの開始と同時に波形格納メモリ２６０に格納されているＤＬサブフレームファイルを持続的に読み取った後（ＤＬサブフレームファイルが１個である場合は、１個を繰り返し読み取り、複数個である場合は、順次に読み取る）、Ｄ/Ａ変換部２４０を通じてアナログ信号に変換する（ステップＳ１０）。次に、信号発生器２００は、このようにアナログ信号に変換されたＤＬサブフレームをＲＦ処理部２５０を通じて変調した後に出力する（ステップＳ１２）。これと同時にＤＬ開始点を示すトリガー信号を信号分析器３００の制御部３１０に転送することも可能である（ステップＳ１４）。
【００３１】
次に、端末機１００では信号発生器２００から入力を受けた変調ＤＬサブフレーム信号をＲＦ復調した後にＡ/Ｄ変換し、さらにこれをデコードしてプリアンブルに含まれたセルＩＤとＵＬ-ＭＡＰに含まれたＣＩＤ情報を抽出する(ステップＳ１６)。その後、端末機１００は、このように抽出されたＣＩＤ情報が自分に割り当てられたテスト用ＣＩＤ情報と一致するかどうかを判断する(ステップＳ１８)。一致しない場合はそれを無視する一方、一致する場合は、テスト用基地データを前記抽出したセルＩＤ及びフレームナンバー（フレームナンバーの連続性をチェックしない機能を有する場合には、固定されたフレームナンバーを前もって知っている可能性もある）によりエンコードしてＵＬサブフレームを生成する(ステップＳ２０)。次に、端末機１００は、このように生成されたＵＬサブフレームをＤ/Ａ変換した後、ＲＦ変調して出力する（ステップＳ２２）。
【００３２】
一方、信号分析器３００は、端末機１００から出力された変調ＵＬサブフレーム信号をＲＦ処理部３５０を通じて復調し(ステップＳ２４)、さらにＡ/Ｄ変換部３４０を通じてデジタルデータに変換した後、自身のメモリにキャプチャーして格納する(ステップＳ２６)。このようにキャプチャーされるデータ量は、携帯インターネット信号の１フレームの長さが５msである点を考慮して、その以上、好ましくはその２倍である１０ms分量とすることが好ましい。次に、信号分析器３００は、このようにキャプチャーされたデータでＵＬ区間を抽出するために、ＵＬ同期取得作業を行うが、処理すべきデータの量を減らすと共に速やかな同期取得を行うために、ステップＳ２８では、トリガー信号が予め受信されているかどうかを判断する。
【００３３】
ステップＳ２８の判断結果、信号発生器２００からトリガー信号が受信された場合には、この時点からＵＬ同期時点を推定(ステップＳ３０)した後、このように推定された時点からＵＬ同期取得作業を行う(ステップＳ３２)。しかし、そうではない場合には、直ちにステップＳ３１に移動してすべてのキャプチャー区間に対してＵＬ同期取得作業を行う。
【００３４】
図６ａ及び図６ｂは、それぞれ本発明の携帯インターネット計測器におけるＵＬ区間の開始点同期取得のためのサーチ区間を説明するためのタイミングチャートである。まず、図６ａに示すように、信号発生器２００からトリガー信号が受信されない場合、信号分析器３００では、その制御部３１０によりキャプチャーされて前記自体メモリに格納されたデータの全区間に対して波形格納メモリ３６０に格納されたＵＬサブフレームの第１のシンボルデータ（例えば、１１５.２μs）を時間相関方法により比較して相関が最も高い地点をＵＬ開始点と見なし、これからその長さが規格上固定されている全ＵＬ区間のデータを抽出（勿論、ＵＬ区間とＤＬ区間の間にはＲＴＧ（Receive/Transmit Transition Gap）が存在するので、これによりＵＬ区間の終点をを把握することもできる）する。さらに、端末機１００がフレームナンバー無チェック機能を支援しない場合には、波形格納メモリ３６０にある１６個のＵＬサブフレームの第１のシンボルのそれぞれとキャプチャーされたＵＬサブフレームデータを時間相関方法により比較してＵＬ同期を取得するようになる。
【００３５】
一方、信号発生器２００からトリガー信号が受信された場合、信号分析器３００では、その制御部３１０によりキャプチャーされて前記自体メモリに格納されたＵＬデータのＤＬサブフレームの開始点から携帯インターネットで規定した所定の時間が経過した時点、例えば、３.１msが経過した時点からＵＬ同期取得作業を行うことで、データ処理量及びＵＬ同期取得作業にかかる時間を大幅に短縮することができる。その後、信号分析器３００では、このように抽出されたＵＬ区間に対して、例えば、ＥＶＭ（Error Vector Magnitude）や周波数オフセット、端末機の転送電力、スペクトル平坦度（Spectrum Flatness）、スペクラルマスク（Spectral Mask）及びスプリアスエミッション（Spurious Emission）などを分析することにより、端末機１００の物理階層の性能を把握することができる。
【００３６】
本発明の携帯インターネット計測器のＵＬ同期取得方法は、前述した実施形態に限定されず、本発明の技術的範囲から逸脱しない範囲内で多様に変更実施することが可能である。例えば、図４の実施形態とは異なり、信号発生器と信号分析器を単一のボックスに構成することも可能である。また、前述した実施形態と異なり、端末機１００がＵＬサブフレームを生成すると同時に、これを知らせるトリガー信号を信号分析器３００に提供することも可能であり、この場合、信号分析器３００は、トリガー信号の受信と同時にＵＬ同期取得作業を行うことになる。
【図面の簡単な説明】
【００３７】
【図１】ＯＦＤＭＡ方式における時間軸と周波数軸のリソース割り当て方式を説明するための図。
【図２】携帯インターネットシステムのＭＡＰ構造を示す図。
【図３】一般的な携帯インターネットシステムのネットワーク構成図。
【図４】本発明のＵＬ同期取得機能を有する携帯インターネット計測器のブロック構成図。
【図５】本発明の携帯インターネット計測器のＵＬ同期取得方法を説明するためのフローチャート。
【図６ａ】本発明の携帯インターネット計測器でＵＬ区間の開始点同期取得のためのサーチ区間を説明するためのタイミングチャート。
【図６ｂ】本発明の携帯インターネット計測器でＵＬ区間の開始点同期取得のためのサーチ区間を説明するためのタイミングチャート。
【符号の説明】
【００３８】
１００…端末機
１１０…ＲＦ入/出力端子
２００…信号発生器
２１０…制御部
２２０…キー入力部
２３０…ディスプレイ
２４０…Ｄ/Ａ変換部
２５０…ＲＦ処理部
２６０…波形格納メモリ
３００…信号分析器
３１０…制御部
３２０…キー入力部
３３０…ディスプレイ
３４０…Ａ/Ｄ変換部
３５０…ＲＦ処理部
３６０…波形格納メモリ
【図１】
2008079308.tif 000005
【図２】
2008079308.tif 000006
【図３】
2008079308.tif 000007
【図４】
2008079308.tif 000008
【図５】
2008079308.tif 000009
【図６ａ】
2008079308.tif 000010
【図６ｂ】
2008079308.tif 000011